(57)【要約】【課題】発振器の周波数制御を通信状態等に応じて最適に行うようにした無線通信装置を提供する。【解決手段】入力された基準信号の周波数に従い、発振器の制御電圧を調整するＡＦＣ制御を行う無線通信装置において、前記基準信号が入力されているときに前記ＡＦＣ制御を実行すると共に当該ＡＦＣ制御で調整された前記発振器の制御電圧を記憶する一方、前記基準信号が入力されていないときは前記ＡＦＣ制御を実行せずに前記発振器の制御電圧を初期値に設定し、送信時には前記発振器の制御電圧を前記記憶した制御電圧に記憶するＡＦＣ制御手段を備えるように構成した。【選択図】図４
2012165231.tif 000002
【特許請求の範囲】
【請求項１】
入力された基準信号の周波数に従い、発振器の制御電圧を調整するＡＦＣ制御を行う無線通信装置において、
前記基準信号が入力されているときに前記ＡＦＣ制御を実行すると共に当該ＡＦＣ制御で調整された前記発振器の制御電圧を記憶する一方、前記基準信号が入力されていないときは前記ＡＦＣ制御を実行せずに前記発振器の制御電圧を初期値に設定し、送信時には前記発振器の制御電圧を前記記憶した制御電圧に記憶するＡＦＣ制御手段を備えることを特徴とする無線通信装置。
【請求項２】
さらに、入力された前記基準信号のレベルを測定するレベル測定手段を備え、
前記ＡＦＣ制御手段は、入力された前記基準信号のレベルが所定値以下であるとき、前記ＡＦＣ制御を実行しないことを特徴とする請求項１に記載の無線通信装置。
【請求項３】
さらに、入力された前記基準信号の品質を測定する品質測定手段を備え、
前記ＡＦＣ制御手段は、入力された前記基準信号の品質が所定の品質を満たしていないとき、前記ＡＦＣ制御を実行しないことを特徴とする請求項１または２に記載の無線通信装置。
【発明の詳細な説明】
【技術分野】
【０００１】
本発明は、無線通信装置に関し、特に、発振周波数の制御を行う無線通信装置に関する。
【背景技術】
【０００２】
自動周波数制御（Auto Frequency Control。以下、ＡＦＣ制御と呼ぶ）を行う無線通信装置においては、発振器として例えば電圧制御温度補償水晶発振器（Voltage Controlled Temperature Compensated Crystal Oscillator。以下、ＶＣＴＣＸＯと呼ぶ）等の基準発振器と、この基準発振器からの発振周波数を基準として、送信部または受信部に必要とされる所定の周波数の信号を供給する局部発振器が備えられる。ＡＦＣ制御の例として、特許文献１に記載の技術が知られている。
【先行技術文献】
【特許文献】
【０００３】
【特許文献１】特開２００８−２１９７１９号公報
【発明の概要】
【発明が解決しようとする課題】
【０００４】
上記特許文献１に記載されるデジタル方式の通信システムでは、受信信号に含まれる同期ワードなどの既知の信号を検出し、通信状態が確立された状態で無線通信を行うが、アナログ方式の無線通信装置などの場合は受信した信号が無線通信のための信号であるのそうでないのかを判別することができず、ＡＦＣ制御による周波数の安定性を低下させるおそれがあった。
【０００５】
本発明の目的は、上記課題に鑑み、発振器の周波数制御を通信状態等に応じて最適に行うようにした無線通信装置を提供することにある。
【課題を解決するための手段】
【０００６】
上記目的を達成するために、本願発明に係る無線通信装置にあっては、入力された基準信号の周波数に従い、発振器の制御電圧を調整するＡＦＣ制御を行う無線通信装置において、前記基準信号が入力されているときに前記ＡＦＣ制御を実行すると共に当該ＡＦＣ制御で調整された前記発振器の制御電圧を記憶する一方、前記基準信号が入力されていないときは前記ＡＦＣ制御を実行せずに前記発振器の制御電圧を初期値に設定し、送信時には前記発振器の制御電圧を前記記憶した制御電圧に記憶するＡＦＣ制御手段を備えるように構成した。
【０００７】
また、入力された前記基準信号のレベルを測定するレベル測定手段を備え、前記ＡＦＣ制御手段は、入力された前記基準信号のレベルが所定値以下であるとき、前記ＡＦＣ制御を実行しないように構成した。
【０００８】
また、入力された前記基準信号の品質を測定する品質測定手段を備え、前記ＡＦＣ制御手段は、入力された前記基準信号の品質が所定の品質を満たしていないとき、前記ＡＦＣ制御を実行しないように構成した。
【発明の効果】
【０００９】
本願発明に係る無線通信装置にあっては、無線通信装置の発振器の周波数制御を通信状態等に応じて最適に行うことができる。
【図面の簡単な説明】
【００１０】
【図１】本発明に係る無線通信装置の構成を示すブロック図である。
【図２】図１の無線通信装置が使用される通信システムの概要を示す図である。
【図３】図１の無線通信装置で実行されるＡＦＣ制御の実行、不実行の処理を示すフローチャートである。
【図４】図１の無線通信装置のＡＦＣ制御におけるＶＣＴＸＯ制御例を示すタイムチャートである。
【図５】図１の無線通信装置で実行されるＶＣＴＣＸＯの初期値を補正する処理を示すフローチャートである。
【図６】本発明の他の実施の形態におけるＶＣＴＣＸＯの初期値を補正する処理のフローチャートである。
【図７】ＶＣＴＣＸＯの制御電圧値の処理データフローを示す図である。
【図８】ＶＣＴＣＸＯの制御電圧初期値の更新ログを示す図である。
【発明を実施するための形態】
【００１１】
図１は、本発明に係る無線通信装置の構成を示すブロック図である。
本発明に係る無線通信装置１は、無線回路部１０１と制御回路部１０２を備える。無線回路部１０１は、アンテナ１０３と、送受信空中線共用機１０４と、受信部１０５と、局発部（局部発振器）１０６と、送信部１０７と、信号処理部１０８と、温度検出部１０９と、ＶＣＴＣＸＯ（基準発振器）１１０を有している。
制御回路部１０２は、ＡＦＣ回路部１１２と、記憶部１１３と、受信信号レベル検出部１１４と、信号品質監視部１１５と、温度監視部１１７を有している。
【００１２】
図２は、無線通信装置１が使用される通信システムの概要を示す図である。
図示の通信システムは、基地局（ＢＳ）２０１と、複数の無線通信装置１から構成される。同通信システムにおいて、無線通信装置１は移動局（移動端末）である。
同通信システムにおいては、基地局２０１と無線通信装置１の間で無線通信を行う基地局通信２０３と、無線通信装置１同士が基地局を介すことなく通信を行う直接通信２０４とを行うことができる。
【００１３】
図１の説明に戻ると、無線通信装置１は、アンテナ１０３で無線信号を受信する。アンテナ１０３で受信した無線信号は、送受信空中線共用機１０４を通過し、受信部１０５に入力される。受信部１０５に入力された信号は、局発部１０６から入力された信号とミキシングされ、所定の中間周波数に変換される。受信部１０５の出力は、信号処理部１０８に入力され、信号処理部１０８で復号処理等が施されて音声やデータといった情報が取り出される。
【００１４】
無線通信装置１の送信時においては、送信部１０７より無線信号が出力され、送受信空中線共用機１０４を介してアンテナ１０３より無線信号が送出される。
局発部１０６は、受信時には、受信部１０５で信号の周波数を変換する際の基準信号を、送信時には、送出される無線信号の基準信号を供給する。
また、ＶＣＴＣＸＯ１１０は、局発部１０６の基準信号となるある一定の周波数の信号を局発部１０６に供給する。
ＶＣＴＣＸＯ１１０が供給する信号は局発部１０６の基準信号となり、局発部１０６が供給する信号は受信部１０５および送信部１０７の基準信号となる関係にあるので、受信部１０５および送信部１０７の周波数の制御はＶＣＴＣＸＯ１１０の周波数制御電圧端子の制御電圧値１１６で制御されることになる。
【００１５】
温度検出部１０９はＶＣＴＣＸＯ１１０の近傍に実装され、ＶＣＴＣＸＯ１１０の温度情報を電圧値として制御回路部１０２に出力する。
信号処理部１０８は、無線信号から音声やデータといった情報を取り出す処理の他、受信した無線信号の周波数偏差の算出を行う。信号処理部１０８ではさらに、無線信号の受信信号レベルの算出や通信品質の判定を行い、それらの算出結果や判定結果を制御回路部１０２に出力する。
【００１６】
ＡＦＣ回路部１１２においては、信号処理部１０８から入力された無線信号の周波数偏差に基づき、ＶＣＴＣＸＯ１１０の制御電圧の値を周波数偏差が最小になるように調整を行う。この制御電圧の値（ＡＦＣ制御による最適なＶＣＴＣＸＯ１１０の制御電圧の値）は、ＶＣＴＣＸＯ１１０の制御電圧の初期値として、記憶部１１３に記憶することができる。
【００１７】
受信信号レベル検出部１１４は、信号処理部１０８で算出した受信信号レベルに基づいてＡＦＣ回路部１１２の動作（ＡＦＣ制御）の実行、不実行（有効または無効）を判断し、判断結果を出力する。
通信品質監視部１１５においても同様に、信号処理部１０８で判定した通信品質に基づいてＡＦＣ回路部１１２の動作の実行、不実行（有効または無効）を判断し、判断結果を出力する。
温度監視部１１７は、温度検出部１０９で取得した温度情報に基づき、ＶＣＴＣＸＯ１１０の制御電圧の初期値を更新するのに適切な条件であるか判断し、判断結果を出力する。
制御回路部１０２は、ＡＦＣ回路部１１２と、受信信号レベル検出部１１４と、通信品質監視部１１５と、温度監視部１１７からの出力に基づき、後述する処理を行う。
【００１８】
図３は、制御回路部１０２で実行されるＡＦＣ制御の実行、不実行の判断処理を示すフローチャートである。
図３に示す処理フローは、無線通信装置１の電源を立ち上げると自動的に起動し(ステップＳ１０１)、待ち受け中または受信中は常に動作している。
無線信号が受信されると信号処理部１０８で受信信号を信号処理して受信信号が所定の通信品質を満たしているか否かの判定が行われる（ステップＳ１０２）。この判定は、例えば、図２に示す通信システムがデジタル通信方式の場合は同期ワードを検出することで所定の通信品質が得られたと判断し、同期ワードを検出できなかったときは所定の通信品質を満たしていないと判断することで行う。また、アナログ方式である場合には、無線通信装置１が有する機能であるスケルチが開いたか否かで所定の通信品質を満たしているか否かの判断が可能である。
【００１９】
無線通信装置１の発振周波数は、基準とする受信信号がより精度の高い基地局から送信された信号でないと正しく補正することが出来ない。したがってステップＳ１０３においては、基地局からの信号であるか否かを判定する。この判断は、例えば受信信号に含まれる同期ワード等の既知の信号が基地局との通信で使用するものであるか否か確認すること等によって行う。
ステップＳ１０２とステップＳ１０３のいずれかの処理で否定された場合、すなわち、受信信号が所定の通信品質を満たしていない、または、受信信号が所定の通信品質を満たしているものの基地局からの信号で無い場合は、ステップＳ１０４に示すように、ＶＣＴＣＸＯ１１０の制御電圧を初期値に設定する。このように制御することによって、万が一ステップＳ１０２とステップＳ１０３の判定が誤判定され、誤ったＡＦＣ制御の動作が行われることによって受信動作が不能に陥ってしまった場合でも、次回のステップＳ１０２で必ず否定されてステップＳ１０４に進む。すなわち、ＶＣＴＸＣＯの制御電圧が即座にリセットされるため、自動的に初期の周波数に復帰することができ、発振周波数の誤差が拡大することを防止できる。
【００２０】
ステップＳ１０２とステップＳ１０３の条件を満たす場合は、ステップＳ１０５で所定の受信レベルを満たしているか否か判断する。
受信信号が所定の通信品質を満たしていると判断され、かつ、基地局からの信号と判断している場合であっても、正確に周波数の偏差情報を読み取ることが出来る最小の受信信号レベルを満たしていない場合がある。
そこで本発明ではステップＳ１０５に示す判断を行い、所定の受信信号レベル以上であることを判定し、受信信号レベルが所定値以上でない場合はＡＦＣ制御の処理（ステップＳ１０６）を行わないようにする。ここでのＡＦＣ制御の処理ステップＳ１０６とは基地局から受信した信号を基準とし、ＶＣＴＣＸＯ１１０の制御電圧を制御し周波数偏差を最小にする制御である。
【００２１】
ここで、ステップＳ１０５で否定される場合、すなわち、所定の受信信号レベル以下である場合であっても、ステッップＳ１０４に示すＶＣＴＣＸＯ１１０の制御電圧を初期値に戻す処理は行わない。これは、通信システムにおいて、受信信号のレベルは基地局および移動局の受信機入力レベルがマルチパスフェージングと呼ばれる現象により、激しく変動することが考えられる。このため本発明では、所定の受信レベルを瞬間的に満たさない場合には、ＶＣＴＣＸＯ１１０の制御電圧を初期値に戻す処理は行わない。これにより、ＡＦＣ制御の不連続性を軽減し、制御の安定性を向上させることができる。
【００２２】
次いで、ステップＳ１０７において、書込条件を満たしているか否か判断する。この判断は、安定的な周波数の補正を行う要件を満たしているかの判断であり、例えば、ＶＣＴＣＸＯ１１０の周辺回路の温度が周波数の補正を行うのに適正な値であるか、および／または、受信していた信号レベルがＶＣＴＣＸＯの初期値の補正を行うのに適切な値であるかの確認を行う。この要件については上述した特許文献１に詳細が記載されているので、ここでの詳細な説明は省略する。
【００２３】
ステップＳ１０７の判断によって、安定的な周波数の補正を行うために適切な条件を満たしていると判断された場合は、ステップＳ１０８に進み、ＶＣＴＣＸＯの初期値の補正を行うことを予約する。このステップＳ１０８の処理により書き込みを行うためのフラグを立てることで、ＡＦＣ制御（ステップＳ１０６）による周波数補正の結果を一時的に記憶する。この記憶に関する制御については後述する図５のフローチャートで説明する。
【００２４】
図４は、本発明におけるＶＣＴＸＯ１１０の制御例を示すタイムチャートである。
図４において、符号３０１は、無線通信装置の動作状態を示している。無線通信装置において、ＡＦＣ制御を行っている（ＡＦＣ機能が動作している）状態を「ＡＦＣが動作」と示し、無線通信装置が送信している間を「送信」と示し、無線通信装置がそれら以外の動作を行っているときを「その他」と示す。
【００２５】
符号３０２はＶＣＴＣＸＯの制御電圧を示す。「初期値」は、ＶＣＴＣＸＯの制御電圧の初期値を示す状態である。また、「＋１」は、初期値より１制御値だけＶＣＴＣＸＯの制御電圧が大きく補正され、「＋２」は、初期値より２制御値だけＶＣＴＣＸＯの制御電圧が大きく補正されていることを示す。
符号３０４は、ＶＣＴＣＸＯの制御電圧を初期値に戻すタイミングを示している。前述の符号３０１に示す動作状態が「ＡＦＣが動作」または「送信」以外である場合に、ＶＣＴＣＸＯの制御電圧を初期値に戻す処理が複数回実行されていることを示す。「０」はＶＣＴＣＸＯの制御電圧を初期値に戻す処理が行われていない状態であり、「１」はＶＣＴＣＸＯの制御電圧を初期値に戻す処理が行われている状態を示している。
【００２６】
符号３０２において、符号３０４に示すＶＣＴＣＸＯの制御電圧を初期値に戻す処理が行われている間は「初期値」に示される値となっている。
符号３０３は、ＡＦＣ制御により基準となる無線通信装置から送出された無線信号との周波数偏差が最小になるように調整されたＶＣＴＣＸＯの制御電圧の記録保持タイミングを示す。
ＡＦＣ制御により最適なＶＣＴＣＸＯの制御電圧が更新されると、値が変更されるように制御する。「＋１」と左端に記述される線上に示される状態が初期値より１制御値だけＶＣＴＣＸＯの制御電圧が大きく補正され、「＋２」と左端に記述される線上に示される状態が初期値より２制御値ＶＣＴＣＸＯの制御電圧が大きく補正されることを示す。
【００２７】
本発明にあっては、ＶＣＴＣＸＯ１１０の制御電圧の最適値（符号３０３）に対しては、ＶＣＴＣＸＯ１１０の制御電圧を初期値に戻す処理（符号３０４）は適用されない。そのため、送信時にはこのＶＣＴＣＸＯ１１０の制御電圧の最適値を用いて送信処理を行うことで、周波数追従と呼ばれる基準となる周波数に送信周波数を合わせ、周波数偏差が最小となるように送信を行うことができる。さらに、ＶＣＴＣＸＯ１１０の初期値を補正するため、記憶部１１３に書き込む制御電圧の初期値もここに示すＶＣＴＣＸＯ１１０の制御電圧の最適値を適用する。
【００２８】
図５は、ＶＣＴＣＸＯの初期値を補正する処理を示すフローチャートである。図５を参照し、本発明におけるＶＣＴＣＸＯ１１０の初期値を補正する処理を説明する。
本発明にあっては、図３のフローチャートのステップＳ１０８において周波数の補正を行うことが予約された場合に、ＶＣＴＸＣＯ１１０の補正初期値を書き込む制御が動作する。
【００２９】
図５に示す処理は、ＡＦＣ制御とは独立して動作し、無線通信装置１の電源を立ち上げると自動的に起動する(ステップＳ２０１)。前述の図３のフローチャートのステップＳ１０８において周波数補正の予約がなされ、書込予約フラグが検出されると、ステップＳ２０２で肯定され、次の判断ステップＳ２０３に進む。書込予約フラグが検出されない場合は、書込予約フラグが検出されるまでステップＳ２０２の処理を繰り返す。
【００３０】
ステップＳ２０３では、無線通信装置１が一定時間以上無線通信を行っておらず、かつ、ユーザによる操作が一定時間以上行われていないか否か判断する。一定時間以上無操作無通信である場合には、ステップＳ２０４に進む。
ステップＳ２０４では、無線通信装置１の記憶部１１３にＶＣＴＣＸＯ１１０の補正初期値を書き込む処理を行う。この処理の詳細は図７、図８を参照して後述する。
このような処理フローがなされる理由は、記憶部１１３にＶＣＴＣＸＯ１１０の補正初期値の書き込みが行われている間、送受信動作が中断される、または操作が行えない状態になるため、上記のように制御する事でユーザが使用中に送受信動作が中断される、または操作が行えなくなることを避けるためである。
さらに無線通信装置１が自立的に周波数補正情報の書き込みを行う目的で、無線通信装置１の電源回路についてバックアップ処理や電源断時の無線機の取り扱いについてユーザは特に意識する必要が無いというメリットも生じる。
【００３１】
無線通信装置１が無線通信を行っていないか否かの判断は、送信動作及び受信動作が行われていないことを監視することで行う。また、ユーザによる操作が行われていないか否か判断は、図示しないスイッチ等の操作が実行されていないことを監視することで行う。
以上のようにして、本発明による無線通信装置１では、基地局などの基準信号を受信し、ＡＦＣ制御を動作させることによって、ユーザが特に意識せずに安定的な周波数の補正を行うことが出来る。
また、万が一各制御における判定に誤りが生じても、自動的に復帰回復して無線通信動作を行うことができる。
【００３２】
ところで、上記においては、基地局の電波の届く範囲に無線通信装置１が存在し、基地局と無線通信装置１で通信が行われることを想定している。
しかし、無線通信装置１は必ずしも基地局の通信範囲で運用されるばかりでなく、前述したように、無線通信装置１間の直接通信により通信を行うこともある。
この場合は図３の示すＡＦＣ制御の処理フローによる補正には期待できず、別途基準となる信号を無線通信装置１に直接入力し、ユーザによる操作で周波数の補正を行うことが利便性の観点から必要になる。
【００３３】
図６は本発明の他の実施の形態におけるＶＣＴＣＸＯ１１０の初期値を補正する処理のフローチャートである。
図６の処理においては、ユーザの操作によりＶＣＴＣＸＯ１１０の初期値を補正するため、ユーザが所定の操作をすることによりＶＣＴＣＸＯ１１０の初期値の補正を実行する処理が開始される(ステップＳ３０１)。
【００３４】
無線通信装置１に直接接続された機器から基準信号が入力されると、信号処理部１０８は入力信号を信号処理し受信信号が所定の通信品質を満たしているか判断を行う（ステップＳ３０２）。判断の方法は前述した通りである。次に入力信号が基地局を模した精度の高い信号であるか否か判断する(ステップＳ３０３)。基地局のような精度の高い装置からの信号でない場合には、周波数補正機能を動作させるべきではないことはここでも同様である。
【００３５】
ステップＳ３０４からステップＳ３０７までの処理は図３と同様であるので説明を省略する。尚、ステップＳ３０２、Ｓ３０３、Ｓ３０５の条件判定設定は、基準信号を発する装置方の基準信号レベルの入力ミスや基準信号の出力信号レベルが不正に低いなどの場合に、誤ってＶＣＴＣＸＯ１１０の初期値が変更されることを防ぐためのものである。
【００３６】
ステップＳ３０７でＡＦＣ処理を実行すると、ステップＳ３０８に進んで補正初期値の記憶部１１３への書き込みを行う。
ここで、本実施の形態にあっては基準となる信号を無線通信装置１に直接入力することから、前述のように自由空間を伝播する無線信号のようにレベルが小さく、そのレベルの変動も大きいといった要件は排除され、安定した受信信号レベルが入力されていると考えられるため、上記のステップＳ３０２、ステップＳ３０３、ステップＳ３０５、ステップＳ３０６の条件を満たす場合には即座に書き込みを実行することができる。ＶＣＴＣＸＯの初期値書込が完了すると、処理フローを終了する(ステップＳ３０９)。
【００３７】
図７にＶＣＴＣＸＯの制御値の処理データフローを示す。
本発明によると無線通信装置１は少なくとも制御部４０１と、記憶部４０２と、ＶＣＴＣＸＯ４０３を備えている。制御部４０１は少なくともＡＦＣ機能４０４と、切り替え部４０６と、ＡＦＣによる最適値４０７と、補正値予約値４０８と、ＶＣＴＣＸＯの初期設定値４１１を備えており、上記に説明したようにＡＦＣ機能４０４は基準信号との周波数偏差が最小となるようにＶＣＴＣＸＯ４０３の制御電圧を変えるものである。ＡＦＣ動作時は切り替え部４０６が４０５に示すデータを伝達しているため、４０５に示すデータフローが常に有効になっており、リアルタイムでＶＣＴＣＸＯ４０３の制御電圧の制御電圧を変更することが出来る。
【００３８】
ＡＦＣ機能４０４は同時に、ＶＣＴＣＸＯ４０３の制御電圧の最適値が変化したときにＡＦＣによる最適値４０７にデータをコピーする。さらに、ＶＣＴＣＸＯ４０３の初期値の補正の条件が揃い、ＶＣＴＣＸＯ４０３初期値の補正予約がなされると補正値予約値４０８にＡＦＣによる最適値４０７のデータがコピーされる。送信時には、切り替え部４０６が４０７からのデータを伝達しているため、ＡＦＣによる最適値４０７がＶＣＴＣＸＯ４０３の制御電圧に設定され、送信時でも周波数の偏差がない安定した周波数で送信することが出来る。
【００３９】
記憶部４０２は少なくともＶＣＴＣＸＯの初期設定値４０９と更新ログ４１０データを備えており、補正値予約値４０８は前述したように無線通信装置が無通信および無操作状態であった場合に、ＶＣＴＣＸＯの初期設定値４０９にデータが書き込みされる。さらに書き込みされたデータはＶＣＴＣＸＯの初期値更新ログ４１０としてデータがコピーされる。ＶＣＴＣＸＯの初期設定値４０９は移動局無線通信装置の電源立ち上げ時には自動的に制御部のＶＣＴＣＸＯの初期設定値４１１に設定されるため、ＶＣＴＣＸＯの経年による周波数偏差の劣化があっても、ＡＦＣ機能により最良に制御された周波数偏差のない安定した周波数となるように自動的かつ継続的に補正するように動作することができ、ＶＣＴＣＸＯの発振周波数の経年劣化による受信不能または、違法電波の発射を防止することが出来る。
【００４０】
本発明によるとＶＣＴＣＸＯ初期値の更新ログ４１０をユーザの操作で任意のＶＣＴＣＸＯの初期値来歴をＶＣＴＣＸＯの初期値に設定することが出来る。ＶＣＴＣＸＯ４０３の更新ログ４１０の詳細については次に説明する。
本発明でのＶＣＴＣＸＯの初期値更新ログの取得方法について説明する。図８はＶＣＴＣＸＯの初期値更新ログを示す図である。ＶＣＴＣＸＯの初期値更新ログはログ番号５０１とＶＣＴＣＸＯの初期設定値５０２で構成される。ログ番号５０１はログ情報の順番を示し、数字が小さいほど最新の情報である事を示す。ただし、ログ番号５０１が０のデータは、例えば無線通信装置の工場出荷時の初期調整値として保持し、一切更新しないものとする。したがってログ番号５０１が１であるデータが現在のＶＣＴＣＸＯの初期値を示す。ＶＣＴＣＸＯの初期設定値５０２はＶＣＴＣＸＯの制御電圧設定値を記録しておくデータである。ＶＣＴＣＸＯの初期値が更新されると、更新された情報はログ番号５０１が１の場所に格納され。ＶＣＴＣＸＯの初期値が更新される前のログ番号５０１が１のデータはログ番号５０１が２に、ログ番号５０１が２のデータはログ番号５０１が３に・・・と続き、ログ番号５０１がＮより一つ小さいログ番号にあるデータがログ番号５０１Ｎとなり、ＶＣＴＣＸＯの初期値が更新される前のログ番号５０１がＮのデータは破棄されるように制御する。ここでＮはＶＣＴＣＸＯの初期値更新ログ情報として保持しておく最大の個数を示している。
このようにして、ＶＣＴＣＸＯの初期値更新のログは規定の数量のＶＣＴＣＸＯの初期設定値を保持することを特徴としている。
【００４１】
本発明の無線通信装置１によれば、安定した受信信号が入力されているときにＡＦＣ制御を動作させることで、ＶＣＴＣＸＯの発振周波数を安定化することができる。
また、万が一ＶＣＴＣＸＯの発振周波数の安定化動作に失敗した場合でも、即座に自己回復または無線機の操作により無線機の送受信機能が回復できる。
さらに、ＶＣＴＣＸＯの初期設定電圧値の記憶部への書き込みは無線通信装置が使用されていない状態のときに適宜書き込まれるため、ユーザに意識されること無く常にＶＣＴＣＸＯの初期設定電圧値が最適の状態に保たれるという特徴がある。
【符号の説明】
【００４２】
１・・・無線通信装置、１０１・・・無線回路部、１０２・・・制御回路部、１０３・・・アンテナ、１０４・・・送受信空中線共用機、１０５・・・受信部、１０６・・・局発部、１０７・・・送信部、１０８・・・信号処理部、１０９・・・温度検出部、１１０・・・ＶＣＴＣＸＯ、１１２・・・ＡＦＣ回路部、１１３・・・記憶部、１１４・・・受信信号レベル検出部、１１５・・・信号品質監視部
【図１】
2012165231.tif 000003
【図２】
2012165231.tif 000004
【図３】
2012165231.tif 000005
【図４】
2012165231.tif 000006
【図５】
2012165231.tif 000007
【図６】
2012165231.tif 000008
【図７】
2012165231.tif 000009
【図８】
2012165231.tif 000010